(57)【要約】      （修正有）【課題】基板と少なくとも２つの感知ユニットを有する投影型静電容量方式タッチパネルを提供する。【解決手段】基板１０と、少なくとも２つの感知ユニット２０を有する。感知ユニットは、ユーザのための作業ゾーンとしての活性領域を形成する。活性領域がより小さな範囲に分割されているので、電気信号が搬送される経路がより短くなる。電気信号は、実効的に外側プロセッサに出力されることができる。加えて、この投影型静電容量方式タッチパネルがディスプレイ上に載置された時には、ディスプレイからの電磁気的干渉の影響を減少させることができる。【選択図】図１
0003174553.tif 000002
【実用新案登録請求の範囲】
【請求項１】
投影型静電容量方式タッチパネルであって、
２つの反対側の表面を有する基板と、
基板上に形成された少なくとも２つの感知ユニットであって、感知ユニットはお互いから電気的に絶縁されており、各感知ユニットが、
複数のＹ軸感知ワイヤと、
絶縁的にＹ軸感知ワイヤと交差している複数のＸ軸感知ワイヤと、
Ｘ軸感知ワイヤおよびＹ軸感知ワイヤとそれぞれ接続されている複数の駆動ワイヤを含むもの、
を含む、投影型静電容量方式タッチパネル。
【請求項２】
各Ｘ軸感知ワイヤは、
複数のＸ軸電極と、
複数のＸ軸狭接続ブリッジであって、各Ｘ軸狭接続ブリッジは各２つの隣接するＸ軸電極の間に接続されたものを含み、
各Ｙ軸感知ワイヤは、
複数のＹ軸電極と、
複数のＹ軸狭接続ブリッジであって、各Ｙ軸狭接続ブリッジは各２つの隣接するＹ軸電極の間に接続されたものを含む、
請求項１記載の投影型静電容量方式タッチパネル。
【請求項３】
Ｘ軸感知ワイヤとＹ軸感知ワイヤは、同じ表面上に形成されており、
Ｘ軸感知ワイヤとＹ軸感知ワイヤの間の各交点の間に絶縁体が適用されている、
請求項２記載の投影型静電容量方式タッチパネル。
【請求項４】
Ｘ軸感知ワイヤとＹ軸感知ワイヤは、それぞれ基板の反対側の表面上に形成されている、
請求項１記載の投影型静電容量方式タッチパネル。
【請求項５】
Ｘ軸感知ワイヤとＹ軸感知ワイヤは、それぞれ基板の反対側の表面上に形成されている、
請求項２記載の投影型静電容量方式タッチパネル。
【請求項６】
投影型静電容量方式タッチパネルであって、
上方表面を有する下方基板と、
下方基板の上方表面上に形成された複数の下方感知ユニットであって、各下方感知ユニットはお互いから絶縁されており、各下方感知ユニットが、
複数の第一軸感知ワイヤと、
複数の第一軸感知ワイヤとそれぞれ接続された複数の駆動ワイヤを含むものと、
下方表面を有する上方基板と、
上方基板の下方表面上に形成された複数の上方感知ユニットであって、各上方感知ユニットはお互いから絶縁されており、各上方感知ユニットが、
複数の第一軸感知ワイヤを交差している複数の第二軸感知ワイヤと、
複数の第二軸感知ワイヤとそれぞれ接続された複数の駆動ワイヤを含むものと、
下方基板を上方基板に束縛するために、下方基板と上方基板の間に形成された絶縁接着層と、
を有する、投影型静電容量方式タッチパネル。
【請求項７】
第一軸感知ワイヤの軸はＸ軸であり、各第一軸感知ワイヤが、
複数のＸ軸電極と、
複数のＸ軸狭接続ブリッジであって、各Ｘ軸狭接続ブリッジは各２つの隣接するＸ軸電極の間に接続されたものを含み、
第二軸感知ワイヤの軸はＹ軸であり、各第二軸感知ワイヤが、
複数のＹ軸電極と、
複数のＹ軸狭接続ブリッジであって、各Ｙ軸狭接続ブリッジは各２つの隣接するＹ軸電極の間に接続されたものを含む、
請求項６記載の投影型静電容量方式タッチパネル。
【請求項８】
第一軸感知ワイヤの軸はＹ軸であり、各第一軸感知ワイヤが、
複数のＹ軸電極と、
複数のＹ軸狭接続ブリッジであって、各Ｙ軸狭接続ブリッジは各２つの隣接するＹ軸電極の間に接続されたものを含み、
第二軸感知ワイヤの軸はＸ軸であり、各第二軸感知ワイヤが、
複数のＸ軸電極と、
複数のＸ軸狭接続ブリッジであって、各Ｘ軸狭接続ブリッジは各２つの隣接するＸ軸電極の間に接続されたものを含む、
請求項６記載の投影型静電容量方式タッチパネル。
【考案の詳細な説明】
【技術分野】
【０００１】
本考案は、静電容量方式タッチパネルに関し、より特定には投影型静電容量方式タッチパネルに関する。
【背景技術】
【０００２】
米国特許出願出版番号2010/0245285を参照すると、静電容量方式タッチパネルは、透明な基板と、透明な基板上に設けられた複数の第一感知電極セットと第二感知電極セットを含む。各第一感知電極セットは、複数の第一ワイヤを通して電気的に直列に結合された複数の第一感知電極を含む。各第二感知電極セットは、複数の第二感知電極を含む。メッシュ状のパターンを有する色補償層が、第一感知電極と第二感知電極の間に設けられている。第二ワイヤは、第二感知電極を直列に結合するように、色補償層の表面の一部を覆う。
【０００３】
コンピューターを便利に使用する目的を達成するために、ディスプレイ上に形成されたタッチパネルは、キーボードまたはマウスのような伝統的な入力デバイスの代りとなる。
【０００４】
タッチパネルの一般的なタイプは、投影型静電容量方式タッチパネルである。投影型静電容量方式タッチパネルは主に、基板と、基板の下方表面上に形成された感知層からなる。感知層は、複数の感知ワイヤからなり、感知層とプロセッサの間に接続された信号ワイヤを介してプロセッサに電気的に接続される。人体が電荷を運ぶので、人体がタッチパネルの基板の上方表面にタッチする時、人体と感知層の間の静電容量性信号が変化する。静電容量性信号は、信号ワイヤを介してプロセッサに出力される。プロセッサは、静電容量性信号に基づいて人によってタッチされたタッチパネル上のタッチポイントの座標を計算する。プロセッサはそれから、それに応じてディスプレイのシーンを変更する。
【０００５】
ディスプレイは、バックライトモジュールやパワーモジュールのような複数の電気的コンポーネンツからなり、ディスプレイ中の信号ワイヤの配置は複雑である。ディスプレイが起動されると、ディスプレイは、タッチパネルの周りに電磁気的干渉を誘起する。
【０００６】
タッチパネル上に形成された感知層の感知ワイヤと信号ワイヤは、信号ワイヤのサイズと配置の結果として、幅広く且つ稠密に拡がり得る。従って、タッチパネル上の電磁気的干渉はより明白になる。しかも、電気信号が搬送される感知層と信号ワイヤの経路がより長くなるにつれて、感知層と信号ワイヤのワイヤ抵抗が上昇され、電気信号のより深刻な低減を引き起こす。結果として、タッチパネルの感度が減少される。
【考案の概要】
【考案が解決しようとする課題】
【０００７】
本考案の目的は、基板と少なくとも2つの感知ユニットを有する投影型静電容量方式タッチパネルを提供することである。
基板は、２つの反対側の表面を有する。
【０００８】
少なくとも２つの感知ユニットが、基板の表面上に形成される。感知ユニットはお互いから電気的に絶縁されている。各感知ユニットは、複数のＸ軸感知ワイヤと、複数のＹ軸感知ワイヤと、複数の駆動ワイヤからなる。各Ｘ軸感知ワイヤは、各Ｙ軸感知ワイヤと交差している。駆動ワイヤは、Ｘ軸感知ワイヤおよびＹ軸感知ワイヤとそれぞれ接続されている。
【０００９】
本考案の別の目的は、投影型静電容量方式タッチパネルを提供することである。投影型静電容量方式タッチパネルは、下方基板と、少なくとも２つの下方感知ユニットと、上方基板と、少なくとも2つの上方感知ユニットと、絶縁接着層を有する。
【００１０】
下方基板は、上方表面を有する。
【００１１】
下方感知ユニットは、下方基板の上方表面上に形成されており、各下方感知ユニットはお互いから絶縁されている。
各下方感知ユニットは、複数の第一軸感知ワイヤと、複数の第一軸感知ワイヤとそれぞれ接続された複数の駆動ワイヤからなる。
【００１２】
上方基板は、下方表面を有する。
【００１３】
上方感知ユニットは、上方基板の下方表面上に形成されており、各上方感知ユニットはお互いから絶縁されている。各上方感知ユニットは、複数の第二軸感知ワイヤと、複数の第二軸感知ワイヤとそれぞれ接続された複数の駆動ワイヤからなる。複数の第二軸感知ワイヤは、複数の第一軸感知ワイヤと交差している。
【００１４】
絶縁接着層は、下方基板を上方基板に束縛し、下方基板と上方基板の間の電気的接続を避けるために、下方基板と上方基板の間に形成されている。
【００１５】
関連技術の記載とは対照的に、この考案の少なくとも２つの分割され絶縁された感知ユニットは、タッチ感知インターフェースとしての活性領域を形成する。分割の後、各感知ユニットの範囲は減少される。電気信号が搬送される経路は短縮される。従って、ディスプレイからの電磁気的干渉が実効的に改善され、感知ユニットのワイヤ抵抗は減少されて、タッチパネルの感度が上昇される。
【図面の簡単な説明】
【００１６】
【図１】図１は、本考案に従った静電容量方式タッチパネルの２つの感知ユニットの上面図である。
【図２】図２は、Ｘ軸感知ワイヤとＹ軸感知ワイヤをもった投影型静電容量方式タッチパネルの上面図である。
【図３】図３は、本考案に従った静電容量方式タッチパネルの第二の実施形態の側面図である。
【図４】図４は、本考案に従った静電容量方式タッチパネルの第三の実施形態の分解斜視図である。
【考案を実施するための形態】
【００１７】
図１と図２を参照すると、本考案に従った投影型静電容量方式タッチパネルの第一の実施形態は、基板１０と、少なくとも２つの感知ユニット２０を有する。
【００１８】
基板１０は、２つの反対側の表面を有する。少なくとも２つの感知ユニット２０が、基板１０の同じ表面上に形成される。感知ユニット２０はお互いから電気的に絶縁されており、タッチ感知インターフェースとしての活性領域２００を形成する。
各感知ユニット２０は、複数のＸ軸感知ワイヤ２１と、複数のＹ軸感知ワイヤ２２と、複数の駆動ワイヤ２３と、複数の絶縁体２４からなる。各Ｘ軸感知ワイヤ２１は、垂直的且つ絶縁的に各Ｙ軸感知ワイヤ２２と交差している。駆動ワイヤ２３は、Ｘ軸感知ワイヤ２１およびＹ軸感知ワイヤ２２とそれぞれ電気的に接続されている。複数のＸ軸感知ワイヤ２１および複数のＹ軸感知ワイヤ２２は、駆動ワイヤ２３を介してプロセッサに電気的に接続されている。各Ｘ軸感知ワイヤ２１は、複数のＸ軸電極２１０と、複数のＸ軸接続ブリッジ２１１からなる。各Ｘ軸接続ブリッジ２１１は、各２つの隣接するＸ軸電極２１０の間にそれぞれ接続されている。各Ｙ軸感知ワイヤ２２は、複数のＹ軸電極２２０と、複数のＹ軸接続ブリッジ２２１からなる。各Ｙ軸接続ブリッジ２２１は、各２つの隣接するＹ軸電極２２０の間にそれぞれ接続されている。各絶縁体２４は、Ｘ軸感知ワイヤ２１とＹ軸感知ワイヤ２２の間の電気的接続を避けるために、Ｘ軸感知ワイヤ２１とＹ軸感知ワイヤ２２の間の各交点の間に形成されている。
【００１９】
図３を参照すると、本考案に従った投影型静電容量方式タッチパネルの第二の実施形態では、基板１０の２つの反対側の表面が、それぞれ上方表面１０１と下方表面１０２を表す。Ｘ軸感知ワイヤ２１は、上方表面１０１上に形成されても良く、Ｙ軸感知ワイヤ２２は、下方表面１０２上に形成されても良い。Ｘ軸感知ワイヤ２１は、Ｙ軸感知ワイヤ２２に電気的に接続されていない。
【００２０】
図４を参照すると、本考案に従った投影型静電容量方式タッチパネルの第三の実施形態は、下方基板３１と、少なくとも２つの下方感知ユニット３２と、上方基板３３と、少なくとも２つの上方感知ユニット３４と、絶縁接着層３５を有する。
【００２１】
下方基板３１は、上方表面を有する。下方感知ユニット３２は、下方基板３１の上方表面上に形成されており、下方感知ユニット３２はお互いから絶縁されている。各下方感知ユニット３２は、活性領域３００を形成する。各下方感知ユニット３２は、複数の第一軸感知ワイヤ３２０と、複数の駆動ワイヤ３２１からなる。駆動ワイヤ３２１は、複数の第一軸感知ワイヤ３２０とそれぞれ電気的に接続されている。
【００２２】
上方基板３３は、下方表面を有する。上方感知ユニット３４は、上方基板３３の下方表面上に形成されており、上方感知ユニット３４はお互いから絶縁されている。各上方感知ユニット３４は、複数の第二軸感知ワイヤ３４０と、複数の駆動ワイヤ３４１からなる。駆動ワイヤ３４１は、複数の第二軸感知ワイヤ３４０とそれぞれ電気的に接続されている。複数の第二軸感知ワイヤ３４０は、複数の第一軸感知ワイヤ３２０に跨って垂直的且つ絶縁的に形成されている。もし第一軸感知ワイヤ３２０の軸がＸ軸であれば、第二軸感知ワイヤ３４０の軸はＹ軸である。もし第一軸感知ワイヤ３２０の軸がＹ軸であれば、第二軸感知ワイヤ３４０の軸はＸ軸である。
【００２３】
絶縁接着層３５は、下方基板３１を上方基板３３に束縛し、下方基板３１と上方基板３３の間の電気的接続を避けるために、下方基板３１と上方基板３３の間に適用されている。
【００２４】
説明的な例として図１と図２を参照すると、活性領域２００は、少なくとも２つの分割された感知ユニット２０からなり、感知ユニット２０はお互いから絶縁されている。各感知ユニット２０は、プロセッサに電気的に接続されたそれ自体の駆動ワイヤ２３を有する。基板１０全体と活性領域２００のサイズに従って、活性領域２００がより小さな範囲に分割されており、また感知ユニット２０はより小さな範囲上にそれぞれ形成されているので、  感知ユニット２０の感知ワイヤの長さは減少されている。それは、電気信号が搬送される経路が短縮されることを意味する。従って、電気信号は、感知ユニット２０中を実効的に搬送されることができ、ディスプレイから誘起される電磁気的干渉は、実効的に削減されることができる。加えて、電気信号が搬送される短縮された経路では、ワイヤ抵抗が減少される。電気信号の搬送減衰が改善される。タッチパネルの感度が促進され、その誤動作が削減される。
【００２５】
上述した実施形態の活性領域は、２つの感知ユニット２０からなる。但し、タッチパネルのより大きなサイズのような実用上の要求に従って、活性領域は、より多くの感知ユニット２０からなることができる。
【図１】
0003174553.tif 000003
【図２】
0003174553.tif 000004
【図３】
0003174553.tif 000005
【図４】
0003174553.tif 000006